(57)【要約】【課題】表示シールがそれぞれ付された複数の側面表示部を有する表示塔において、表示シールの剥離を適切に防止する。【解決手段】本発明に係る表示塔Ａ１は、表示シール１４がそれぞれ付された複数の側面表示部１０、およびこれら側面表示部１０のそれぞれの上端とつながる頂部１１を有する表示塔本体１と、表示シール１４の剥離を防止するための保護シール２と、を備える。保護シール２は、頂部１１を覆う中央シート部２１と、この中央シート部２１の周囲から延出し、先端部が表示シール１４の上端部に重なる複数の周辺シート部２２とを有する。【選択図】図１
2011221275.tif 000002
【特許請求の範囲】
【請求項１】
表示シールがそれぞれ付された複数の側面表示部、およびこれら側面表示部のそれぞれの上端とつながる頂部を有する表示塔本体と、上記表示シールの剥離を防止するための保護シールと、を備える表示塔であって、
上記保護シールは、上記頂部を覆う中央シート部と、この中央シート部の周囲から延出し、先端部が上記表示シールの上端部に重なる複数の周辺シート部とを有することを特徴とする、表示塔。
【請求項２】
上記表示塔本体は、３以上の上記側面表示部を有する角錐台状または角柱状とされており、
上記複数の周辺シート部は、上記側面表示部の配置と対応した放射状に配されている、請求項１に記載の表示塔。
【請求項３】
上記表示塔本体は、上記頂部を挟んでその両側に位置する２つの上記側面表示部を有し、
上記複数の周辺シート部は、上記中央シート部を挟んで相対向するように配されている、請求項１に記載の表示塔。
【請求項４】
上記保護シールは、透明な基材シートの片面に粘着剤が設けられた透明シールによって構成されている、請求項１ないし３のいずれかに記載の表示塔。
【発明の詳細な説明】
【技術分野】
【０００１】
本発明は、路上や店頭に設置して使用され、交通規制や、店舗案内・広告等を表示するための表示塔に関する。
【背景技術】
【０００２】
路上や店頭に設置して使用される表示塔として、たとえば図１１に示すものが知られている（たとえば、特許文献１を参照）。図示された表示塔Ｘは、概略四角錐台状とされており、４つの側面表示部９０と、これら側面表示部９０のそれぞれの上端とつながる略矩形状の頂部９１とを有している。各側面表示部９０の所定領域には、表示シール９４が貼着されている。表示シール９４は、たとえば表面側に所望の文字や図柄が印刷等によって表されている。側面表示部９０における表示シール９４を貼る領域は、たとえばその周囲に僅かな段差が設けられることにより凹んでいる。これにより、表示シール９４の貼着の位置決めが図られ、また、貼着された表示シール９４を剥がれ難くするという効果も期待できる。
【０００３】
上記構成の表示塔Ｘは、たとえば人の腰と同程度の高さを有する。このため、表示塔Ｘが路上等に置かれると、表示シール９４のうち表示塔Ｘの高さ方向の上端部付近（上向きの縁）は、人や外物が接触する、あるいは指で故意に引っ掻かれるなどにより、他の部分に比べて剥がれ易いという不都合があった。
【先行技術文献】
【特許文献】
【０００４】
【特許文献１】特開２００８−１８４８０５号公報
【発明の概要】
【発明が解決しようとする課題】
【０００５】
本発明は、上記した事情のもとで考え出されたものであって、表示シールがそれぞれ付された複数の側面表示部を有する表示塔において、表示シールの剥離を適切に防止することを課題としている。
【課題を解決するための手段】
【０００６】
上記課題を解決するため、本発明では、次の技術的手段を講じている。
【０００７】
本発明によって提供される表示塔は、表示シールがそれぞれ付された複数の側面表示部、およびこれら側面表示部のそれぞれの上端とつながる頂部を有する表示塔本体と、上記表示シールの剥離を防止するための保護シールと、を備える表示塔であって、上記保護シールは、上記頂部を覆う中央シート部と、この中央シート部の周囲から延出し、先端部が上記表示シールの上端部に重なる複数の周辺シート部とを有することを特徴としている。
【０００８】
このような構成の表示塔によれば、表示塔本体に貼着された保護シールは、表示塔本体の頂部を覆いつつこの頂部から側面表示部にかけて下向きに延びており、各周辺シート部の先端部は、各表示シールの上端部に重なっている。このため、表示シールの上端部に人や外物が直接接触することはなく、上向きの縁を有する上端部からの表示シールの剥離を防止することができる。
【０００９】
本発明の一つの実施の形態においては、上記表示塔本体は、３以上の上記側面表示部を有する角錐台状または角柱状とされており、上記複数の周辺シート部は、上記側面表示部の配置と対応した放射状に配されている。
【００１０】
本発明の他の実施の形態においては、上記表示塔本体は、上記頂部を挟んでその両側に位置する２つの上記側面表示部を有し、上記複数の周辺シート部は、上記中央シート部を挟んで相対向するように配されている。
【００１１】
本発明の好ましい実施の形態においては、上記保護シールは、透明な基材シートの片面に粘着剤が設けられた透明シールによって構成されている。
【００１２】
本発明のその他の特徴および利点は、添付図面を参照して以下に行う詳細な説明によって、より明らかとなろう。
【図面の簡単な説明】
【００１３】
【図１】本発明に係る表示塔の一例を示す斜視図である。
【図２】図１に示す表示塔の平面図である。
【図３】図１の部分拡大図である。
【図４】図１に示す表示塔の部分拡大正面図である。
【図５】図２のＶ−Ｖ線に沿う部分拡大断面図である。
【図６】保護シールの展開平面図である。
【図７】本発明に係る表示塔の他の例を示す斜視図である。
【図８】保護シールの展開平面図である。
【図９】本発明に係る表示塔の他の例を示す斜視図である。
【図１０】保護シールの展開平面図である。
【図１１】従来の表示塔の一例を示す斜視図である。
【発明を実施するための形態】
【００１４】
以下、本発明の好ましい実施の形態について、図面を参照して具体的に説明する。なお、説明の便宜上、図１を基準として上下の方向を特定することにする。
【００１５】
図１〜図５は、本発明に係る表示塔の一例を示している。本実施形態の表示塔Ａ１は、表示塔本体１と、この表示塔本体１の上部付近に貼られた保護シール２とを備える。なお、保護シール２の貼着領域が明瞭となるように、図中の保護シール２には左下がりのハッチングを付している。
【００１６】
表示塔本体１は、複数の側面表示部１０と、頂部１１と、コーナー部１２と、ベース部１３と、表示シール１４とを備えて構成されており、概略四角錐台状の外形形状を有している。なお、表示シール１４の貼着領域が明瞭となるように、図中の表示シール１４には右下がりのハッチングを付している。
【００１７】
側面表示部１０は、四角錐台形の側面を構成する４つの略平面部分であり、略等脚台形状である。各側面表示部１０は、表示シール１４を貼り付けるための部位であり、その上端が頂部１１につながる一方、その下端がベース部１３につながっている。隣り合う側面表示部１０は、コーナー部１２を介して連結されている。複数の側面表示部１０は、いずれも所定の厚みを有する板状に形成されており、これら側面表示部１０に囲まれた表示塔本体１の内部は、空洞となっている。なお、本実施形態では、互いに対向する一組の側面表示部１０には、複数の表示塔Ａ１をパーティションとして利用する場合にロープやチェーンを係止するための開口１０ａが形成されている。
【００１８】
頂部１１は、各頂点が丸みを帯びた概略正方形の平面視形状を有している。頂部１１は、所定の厚みを有する板状に形成されており、表示塔本体１の高さ方向の最上部に位置している。なお、表示塔本体１の高さは、たとえば９０ｃｍ程度とされる。
【００１９】
コーナー部１２は、側面表示部１０の側縁どうしを連結する部分であり、高さ方向の略全長にわたり、各側面表示部１０の外面よりも膨出している。
【００２０】
ベース部１３は、表示塔本体１の起立姿勢での安定化を図るためのものであり、側面表示部１０およびコーナー部１２よりも外側に突き出す外向フランジ状とされている。
【００２１】
表示シール１４は、たとえば、表面側に文字や図柄が印刷などによって表された不透明な粘着シールなどからなり、側面表示部１０の所定領域に貼着されている。表示シール１４は、側面表示部１０に対応した略等脚台形状とされている。なお、図面には明瞭に表れていないが、各側面表示部１０において、表示シール１４を貼る領域の周囲に僅かな段差を設け、この段差により表示シール１４の貼着の位置決めを図るようにしてもよい。このような構成の表示塔本体１は、表示シール１４を除き、たとえばポリプロピレンなどの合成樹脂により一体形成される。
【００２２】
保護シール２は、たとえば塩化ビニルからなる透明な基材シートの裏面側に粘着剤が設けられた透明シールによって構成されており、図２および図６によく表れているように、中央シート部２１と、この中央シート部２１の周囲から延出する複数の周辺シート部２２とを備えている。中央シート部２１は、表示塔本体１の頂部１１を覆う部分であり、頂部１１の形状に対応させて概略正方形とされている。複数の周辺シート部２２は、側面表示部１０の配置と対応した放射状に配されており、頂部１１から側面表示部１０に向けて下方に降ろすように貼ることにより、先端部２２ａが表示シール１４の上端部１４１に重ねられている。より具体的には、図３〜図５に表れているように、表示シール１４の上端部１４１は、横方向に延びる縁部１４１ａと、この縁部１４１ａの両端に位置する隅部１４１ｂとを有しており、周辺シート部２２における先端部２２ａは、少なくとも両隅部１４１ｂを覆っている。
【００２３】
次に、上記した表示塔Ａ１の作用について説明する。
【００２４】
上記構成の表示塔Ａ１は、たとえば路上や店頭に設置して使用される。本実施形態において、表示塔本体１に貼着された保護シール２は、表示塔本体１の頂部１１を覆いつつこの頂部１１から側面表示部１０にかけて下向きに延びており、各周辺シート部２２の先端部２２ａは、各表示シール１４の上端部１４１に重なっている。このため、表示シール１４の上端部１４１に人や外物が直接接触することはなく、上向きの縁を有する上端部１４１からの表示シール１４の剥離を防止することができる。
【００２５】
保護シール２は、表示塔本体１の上から被せるようにして、頂部１１および側面表示部１０に跨って貼着されている。このため、保護シール２の縁に着目すると、縁は、いずれも下向きまたは横向きとなっており、上向きの部分が存在しない。その結果、保護シール２そのものが剥がれ難くなっている。このことは、表示シール１４の剥離を防止するうえで好適である。
【００２６】
保護シール２において、周辺シート部２２は側面表示部１０の配置に対応した放射状に配されており、隣り合う周辺シート部２２の間は空所となっている。このため、表示塔本体１に貼着された保護シール２において、その周辺シート部２２どうしが重なることはなく、保護シール２全体を表示塔本体１の表面にピッタリと密着させることができる。かかる観点においても、保護シール２は表示塔本体１から剥がれ難くなっている。
【００２７】
また、表示塔本体１に貼着された保護シール２は、透明シールによって構成されているため、目立たない。したがって、表示塔Ａ１の外観体裁を良好に維持するとともに、保護シール２が故意に引っ掻かれるなどの不都合を抑制することができる。
【００２８】
図７および図９は、本発明に係る表示塔の他の例を示している。なお、図７以降の図面においては、上記実施形態と同一または類似の要素には、上記実施形態と同一の符号を付しており、適宜説明を省略する。
【００２９】
図７に示された表示塔Ａ２においては、表示塔本体１の外形形状が概略三角錐台状とされている。表示塔本体１は、３つの側面表示部１０を有し（図７においては２つの側面表示部１０のみが表れている）、これら側面表示部１０の上端とつながる頂部１１は、概略正三角形とされている。なお、本実施形態においては、上記実施形態の表示塔Ａ１に比べて、表示塔本体１の上部が先細り状とされており、頂部１１のサイズが比較的に小さくなっている。また、表示塔本体１の下部には、転倒防止用のゴム製の重し３が装着されている。
【００３０】
図８は、表示塔Ａ２の保護シール２の展開平面図である。中央シート部２１は、頂部１１の形状に対応させて概略正三角形とされており、複数の周辺シート部２２は、側面表示部１０の配置と対応した放射状に配されている。周辺シート部２２は、頂部１１から側面表示部１０に向けて下方に降ろすように貼ることにより、先端部２２ａが表示シール１４の上端部１４１に重ねられている。本実施形態の表示塔Ａ２においても、上記実施形態に係る表示塔Ａ１と同様の効果を享受することができる。
【００３１】
図９に示された表示塔Ａ３においては、表示塔本体１は、２つの側面表示部１０を有している。より具体的には、これら側面表示部１０は、頂部１１を挟んで両側に位置している（図９においては手前側の側面表示部１０のみが表されている）。本実施形態では、表示シール１４は、概略正方形とされている。頂部１１は、その長手方向中央において開口からなる持ち手部１１ａを有している。また、表示塔本体１の下部には、転倒防止用のゴム製の重し３が装着されている。
【００３２】
本実施形態の表示塔Ａ３は、２つの保護シール２を有している。図１０に表れているように、中央シート部２１は、矩形状とされており、周辺シート部２２は、中央シート部２１を挟んで相対向するように配されている。保護シール２は、頂部１１の長手方向両端部付近に貼着される。保護シール２の周辺シート部２２は、頂部１１から側面表示部１０に向けて下方に降ろすように貼ることにより、各表示シール１４の上端部の片方の隅部１４１ｂを覆っている。本実施形態の表示塔Ａ３においても、上記実施形態に係る表示塔Ａ１と同様の効果を享受することができる。
【００３３】
以上、本発明の具体的な実施形態を説明したが、本発明はこれに限定されるものではなく、発明の思想から逸脱しない範囲内で種々な変更が可能である。本発明に係る表示塔の各部の具体的な形状や材質なども、上記実施形態に限定されるものではない。
【符号の説明】
【００３４】
Ａ１，Ａ２，Ａ３    表示塔
１          表示塔本体
１０        側面表示部
１０ａ      開口
１１        頂部
１２        コーナー部
１３        ベース部
１４        表示シール
１４１      上端部
１４１ａ    縁部
１４１ｂ    隅部
２          保護シール
２１        中央シート部
２２        周辺シート部
２２ａ      先端部
【図１】
2011221275.tif 000003
【図２】
2011221275.tif 000004
【図３】
2011221275.tif 000005
【図４】
2011221275.tif 000006
【図５】
2011221275.tif 000007
【図６】
2011221275.tif 000008
【図７】
2011221275.tif 000009
【図８】
2011221275.tif 000010
【図９】
2011221275.tif 000011
【図１０】
2011221275.tif 000012
【図１１】
2011221275.tif 000013